【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
基部電極部が形成されている基部と、
この基部から突出して形成される少なくとも１本の振動細棒と、
この振動細棒の表面及び裏面の少なくとも一方に形成されている溝電極部を有する溝部と、
前記振動細棒の前記溝部が形成されていない前記振動細棒の側面に形成されている側面電極部と、
この振動細棒の表面及び裏面の少なくとも前記一方に形成され、前記基部電極部に接続されている接続電極部と、を有する振動片であって、
前記溝の短手方向の幅は、第１の幅と、前記第１の幅より狭い第２の幅と、を有し、
前記第２の幅は、前記第１の幅よりも前記基部に近い位置にあり、
前記振動細棒の前記第２の幅がある領域において、前記溝と前記側面との間が広い接続電極配置部が形成され、
前記接続電極配置部において、前記振動細棒の側面に形成されている前記側面電極部が、前記接続電極部に接続されていることを特徴とする振動片。
【請求項２】
前記溝部の短手方向の前記第１の幅が、約０．０７ｍｍであり、前記溝部の短手方向の前記第２の幅が、約０．０６ｍｍであり、前記溝部が形成されている振動細棒の表面及び裏面の少なくとも前記一方の短手方向の幅が約０．１ｍｍであるように形成されたことを特徴とする請求項１に記載の振動片。
【請求項３】
前記溝部が前記振動細棒の表面及び裏面に形成されていると共に、これら各々の振動細棒の断面を溝部の深さ方向に形成した場合、その断面が略Ｈ型に形成されることを特徴とする請求項１又は請求項２に記載の振動片。
【請求項４】
前記振動片が音叉型水晶振動片により形成されていることを特徴とする請求項１乃至請求項３のいずれか一項に記載の振動片。
【請求項５】
前記音叉型水晶振動片の共振周波数が略３２ｋＨに成っていることを特徴とする請求項４に記載の振動片。
【請求項６】
基部電極部が形成されている基部と、
この基部から突出して形成される少なくとも１本の振動細棒と、
この振動細棒の表面及び裏面の少なくとも一方に形成されている溝電極部を有する溝部と、
前記振動細棒の前記溝部が形成されていない前記振動細棒の側面に形成されている側面電極部と、
この振動細棒の表面及び裏面の少なくとも前記一方に形成され、前記基部電極部に接続されている接続電極部と、を有する振動片であり、  この振動片が、パッケージ内に収容されている振動子であって、
前記溝の短手方向の幅は、第１の幅と、前記第１の幅より狭い第２の幅と、を有し、
前記第２の幅は、前記第１の幅よりも前記基部に近い位置にあり、
前記振動細棒の前記第２の幅がある領域において、前記溝と前記側面との間が広い接続電極配置部が形成され、
前記接続電極配置部において、前記振動細棒の側面に形成されている前記側面電極部が、前記接続電極部に接続されていることを特徴とする振動子。
【請求項７】
前記振動片の前記溝部の短手方向の前記第１の幅が、約０．０７ｍｍであり、前記溝部の前記第２の幅が、約０．０６ｍｍであり、前記溝部が形成されている振動細棒の表面及び裏面の少なくとも前記一方の短手方向の幅が約０．１ｍｍであるように形成されたことを特徴とする請求項６に記載の振動子。
【請求項８】
前記振動片の前記溝部が前記振動細棒の表面及び裏面に形成されていると共に、これら各々の振動細棒の断面を溝部の深さ方向に形成した場合、その断面が略Ｈ型に形成されることを特徴とする請求項６又は請求項７に記載の振動子。
【請求項９】
前記振動片が音叉型水晶振動片により形成されていることを特徴とする請求項６乃至請求項８のいずれか一項に記載の振動子。
【請求項１０】
前記音叉型水晶振動片の共振周波数が略３２ｋＨに成っていることを特徴とする請求項１３に記載の振動子。
【請求項１１】
前記パッケージが箱状に形成されていることを特徴とする請求項６乃至請求項１０のいずれか一項に記載の振動子。
【請求項１２】
前記パッケージがシリンダータイプに形成されていることを特徴とする請求項６乃至請求項１０のいずれか一項に記載の振動子。
【請求項１３】
基部電極部が形成されている基部と、
この基部から突出して形成される少なくとも１本の振動細棒と、
この振動細棒の表面及び裏面の少なくとも一方に形成されている溝電極部を有する溝部と、
前記振動細棒の前記溝部が形成されていない前記振動細棒の側面に形成されている側面電極部と、
この振動細棒の表面及び裏面の少なくとも前記一方に形成され、前記基部電極部に接続されている接続電極部と、を有する振動片であり、
この振動片と集積回路が、パッケージ内に収容されている発振器であって、
前記溝の短手方向の幅は、第１の幅と、前記第１の幅より狭い第２の幅と、を有し、
前記第２の幅は、前記第１の幅よりも前記基部に近い位置にあり、
前記振動細棒の前記第２の幅がある領域において、前記溝と前記側面との間が広い接続電極配置部が形成され、
前記接続電極配置部において、前記振動細棒の側面に形成されている前記側面電極部が、前記接続電極部に接続されていることを特徴とする発振器。
【請求項１４】
基部電極部が形成されている基部と、
この基部から突出して形成される少なくとも１本の振動細棒と、
この振動細棒の表面及び裏面の少なくとも一方に形成されている溝電極部を有する溝部と、
前記振動細棒の前記溝部が形成されていない前記振動細棒の側面に形成されている側面電極部と、
この振動細棒の表面及び裏面の少なくとも前記一方に形成され、前記基部電極部に接続されている接続電極部と、を有する振動片であり、
この振動片がパッケージ内に収容されている振動子であり、
この振動子を制御部に接続して用いている携帯電話装置であって、
前記溝の短手方向の幅は、第１の幅と、前記第１の幅より狭い第２の幅と、を有し、
前記第２の幅は、前記第１の幅よりも前記基部に近い位置にあり、
前記振動細棒の前記第２の幅がある領域において、前記溝と前記側面との間が広い接続電極配置部が形成され、
前記接続電極配置部において、前記振動細棒の側面に形成されている前記側面電極部が、前記接続電極部に接続されていることを特徴とする携帯電話装置。
【手続補正２】
【補正対象書類名】明細書
【補正対象項目名】００１７
【補正方法】変更
【補正の内容】
【００１７】
前記目的を達成するため、本発明の振動片は、基部電極部が形成されている基部と、この基部から突出して形成される少なくとも１本の振動細棒と、この振動細棒の表面及び裏面の少なくとも一方に形成されている溝電極部を有する溝部と、前記振動細棒の前記溝部が形成されていない前記振動細棒の側面に形成されている側面電極部と、この振動細棒の表面及び裏面の少なくとも前記一方に形成され、前記基部電極部に接続されている接続電極部と、を有する振動片であって、前記溝の短手方向の幅は、第１の幅と、前記第１の幅より狭い第２の幅と、を有し、前記第２の幅は、前記第１の幅よりも前記基部に近い位置にあり、前記振動細棒の前記第２の幅がある領域において、前記溝と前記側面との間が広い接続電極配置部が形成され、前記接続電極配置部において、前記振動細棒の側面に形成されている前記側面電極部が、前記接続電極部に接続されていることを特徴とする。
【手続補正３】
【補正対象書類名】明細書
【補正対象項目名】００１８
【補正方法】変更
【補正の内容】
【００１８】
また、本発明の振動片は、さらに、前記溝部の短手方向の前記第１の幅が、約０．０７ｍｍであり、前記溝部の短手方向の前記第２の幅が、約０．０６ｍｍであり、前記溝部が形成されている振動細棒の表面及び裏面の少なくとも前記一方の短手方向の幅が約０．１ｍｍであるように形成されたことを特徴とする。
【手続補正４】
【補正対象書類名】明細書
【補正対象項目名】００１９
【補正方法】変更
【補正の内容】
【００１９】
また、本発明の振動片は、さらに、前記溝部が前記振動細棒の表面及び裏面に形成されていると共に、これら各々の振動細棒の断面を溝部の深さ方向に形成した場合、その断面が略Ｈ型に形成されることを特徴とする。
【手続補正５】
【補正対象書類名】明細書
【補正対象項目名】００２０
【補正方法】変更
【補正の内容】
【００２０】
また、本発明の振動片は、さらに、前記振動片が音叉型水晶振動片により形成されていることを特徴とする。
【手続補正６】
【補正対象書類名】明細書
【補正対象項目名】００２１
【補正方法】変更
【補正の内容】
【００２１】
また、本発明の振動片は、さらに、前記音叉型水晶振動片の共振周波数が略３２ｋＨに成っていることを特徴とする。
【手続補正７】
【補正対象書類名】明細書
【補正対象項目名】００２２
【補正方法】変更
【補正の内容】
【００２２】
本発明の振動子は、基部電極部が形成されている基部と、この基部から突出して形成される少なくとも１本の振動細棒と、この振動細棒の表面及び裏面の少なくとも一方に形成されている溝電極部を有する溝部と、前記振動細棒の前記溝部が形成されていない前記振動細棒の側面に形成されている側面電極部と、この振動細棒の表面及び裏面の少なくとも前記一方に形成され、前記基部電極部に接続されている接続電極部と、を有する振動片であり、  この振動片が、パッケージ内に収容されている振動子であって、前記溝の短手方向の幅は、第１の幅と、前記第１の幅より狭い第２の幅と、を有し、前記第２の幅は、前記第１の幅よりも前記基部に近い位置にあり、前記振動細棒の前記第２の幅がある領域において、前記溝と前記側面との間が広い接続電極配置部が形成され、前記接続電極配置部において、前記振動細棒の側面に形成されている前記側面電極部が、前記接続電極部に接続されていることを特徴とする。
【手続補正８】
【補正対象書類名】明細書
【補正対象項目名】００２３
【補正方法】変更
【補正の内容】
【００２３】
本発明の振動子は、さらに、前記振動片の前記溝部の短手方向の前記第１の幅が、約０．０７ｍｍであり、前記溝部の前記第２の幅が、約０．０６ｍｍであり、前記溝部が形成されている振動細棒の表面及び裏面の少なくとも前記一方の短手方向の幅が約０．１ｍｍであるように形成されたことを特徴とする。
【手続補正９】
【補正対象書類名】明細書
【補正対象項目名】００２４
【補正方法】変更
【補正の内容】
【００２４】
本発明の振動子は、さらに、前記振動片の前記溝部が前記振動細棒の表面及び裏面に形成されていると共に、これら各々の振動細棒の断面を溝部の深さ方向に形成した場合、その断面が略Ｈ型に形成されることを特徴とする。
【手続補正１０】
【補正対象書類名】明細書
【補正対象項目名】００２５
【補正方法】変更
【補正の内容】
【００２５】
本発明の振動子は、さらに、前記振動片が音叉型水晶振動片により形成されていることを特徴とする。
【手続補正１１】
【補正対象書類名】明細書
【補正対象項目名】００２６
【補正方法】変更
【補正の内容】
【００２６】
本発明の振動子は、さらに、前記音叉型水晶振動片の共振周波数が略３２ｋＨに成っていることを特徴とする。
【手続補正１２】
【補正対象書類名】明細書
【補正対象項目名】００２７
【補正方法】変更
【補正の内容】
【００２７】
本発明の振動子は、さらに、前記パッケージが箱状に形成されていることを特徴とする。
【手続補正１３】
【補正対象書類名】明細書
【補正対象項目名】００２８
【補正方法】変更
【補正の内容】
【００２８】
本発明の振動子は、さらに、前記パッケージがシリンダータイプに形成されていることを特徴とする。
【手続補正１４】
【補正対象書類名】明細書
【補正対象項目名】００２９
【補正方法】変更
【補正の内容】
【００２９】
本発明の発振器は、基部電極部が形成されている基部と、この基部から突出して形成される少なくとも１本の振動細棒と、この振動細棒の表面及び裏面の少なくとも一方に形成されている溝電極部を有する溝部と、前記振動細棒の前記溝部が形成されていない前記振動細棒の側面に形成されている側面電極部と、この振動細棒の表面及び裏面の少なくとも前記一方に形成され、前記基部電極部に接続されている接続電極部と、を有する振動片であり、この振動片と集積回路が、パッケージ内に収容されている発振器であって、前記溝の短手方向の幅は、第１の幅と、前記第１の幅より狭い第２の幅と、を有し、前記第２の幅は、前記第１の幅よりも前記基部に近い位置にあり、前記振動細棒の前記第２の幅がある領域において、前記溝と前記側面との間が広い接続電極配置部が形成され、前記接続電極配置部において、前記振動細棒の側面に形成されている前記側面電極部が、前記接続電極部に接続されていることを特徴とする。
【手続補正１５】
【補正対象書類名】明細書
【補正対象項目名】００３０
【補正方法】変更
【補正の内容】
【００３０】
本発明の携帯電話装置は、基部電極部が形成されている基部と、この基部から突出して形成される少なくとも１本の振動細棒と、この振動細棒の表面及び裏面の少なくとも一方に形成されている溝電極部を有する溝部と、前記振動細棒の前記溝部が形成されていない前記振動細棒の側面に形成されている側面電極部と、この振動細棒の表面及び裏面の少なくとも前記一方に形成され、前記基部電極部に接続されている接続電極部と、を有する振動片であり、この振動片がパッケージ内に収容されている振動子であり、この振動子を制御部に接続して用いている携帯電話装置であって、前記溝の短手方向の幅は、第１の幅と、前記第１の幅より狭い第２の幅と、を有し、前記第２の幅は、前記第１の幅よりも前記基部に近い位置にあり、前記振動細棒の前記第２の幅がある領域において、前記溝と前記側面との間が広い接続電極配置部が形成され、前記接続電極配置部において、前記振動細棒の側面に形成されている前記側面電極部が、前記接続電極部に接続されていることを特徴とする。
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】削除
【補正の内容】